【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
マルチメディアコンテンツのビデオデータをストリーミングする方法であって、
前記マルチメディアコンテンツの複数の表現を受信することと、ここにおいて、前記表現が、前記それぞれの表現の切替点の間隔を表す切替点間隔情報を含む、
クライアントデバイスからの要求に応答して、前記表現のうちの第１の表現のビデオデータを前記クライアントデバイスに送信することと、
前記第１の表現とは異なる前記表現のうちの第２の表現中の切替点の間の再生時間に少なくとも等しい再生時間を有する前記第１の表現からのある量のビデオデータを送信した後で、前記表現のうちの前記第２の表現のビデオデータを前記クライアントデバイスに送信することと、ここにおいて、前記表現のうちの前記第１の表現の切替点の前記間隔が、前記表現のうちの前記第２の表現の切替点の前記間隔より短い、
を備え、前記クライアントデバイスは、所定のビットレートと第１のバッファリング期間を有する前記第１の表現を選択し、前記第１の表現のデータをバッファリングし、前記所定のビットレートと、前記第１のバッファリング期間よりも長い第２のバッファリング期間を有する前記第２の表現へ前記第１の表現を切り替える、方法。
【請求項２】
前記複数の表現を形成することが、
前記表現のうちの前記第１の表現の切替点の前記間隔で切替点を含むように、前記表現のうちの前記第１の表現を形成することと、
前記第２の表現の前記切替点の各々が前記第１の表現の前記切替点の１つの時間的位置に対応する時間的位置で発生するように、前記表現のうちの前記第２の表現の切替点の前記間隔で切替点を含むように、前記表現のうちの前記第２の表現を形成することと
を備える、請求項１に記載の方法。
【請求項３】
前記表現のうちの前記第２の表現の前記切替点が、前記表現のうちの前記第１の表現の前記切替点のサブセットを備える、請求項２に記載の方法。
【請求項４】
前記表現のうちの前記第１の表現の前記ビデオデータを送信することが、ユニキャストを介して前記表現のうちの前記第１の表現の前記ビデオデータを送信することを備え、
前記表現のうちの前記第２の表現の前記ビデオデータを送信することが、ブロードキャストを介して前記表現のうちの前記第２の表現の前記ビデオデータを送信することを備える、請求項１に記載の方法。
【請求項５】
前記切替点間隔情報を割り当てることが、前記マルチメディアコンテンツに対するマニフェストファイル中で前記切替点間隔情報を提供することを備える、請求項１に記載の方法。
【請求項６】
１つまたは複数のプロセッサを備える、マルチメディアコンテンツのビデオデータをストリーミングするための装置であって、前記プロセッサが、
前記マルチメディアコンテンツの複数の表現を受信することと、ここにおいて、前記表現が、前記それぞれの表現の切替点の間隔を表す切替点間隔情報を含む、
クライアントデバイスからの要求に応答して、前記表現のうちの第１の表現のビデオデータを前記クライアントデバイスに送信することと、
前記第１の表現とは異なる前記表現のうちの第２の表現中の切替点の間の再生時間に少なくとも等しい再生時間を有する前記第１の表現からのある量のビデオデータを送信した後で、前記表現のうちの前記第２の表現のビデオデータを前記クライアントデバイスに送信することと、ここにおいて、前記表現のうちの前記第１の表現の切替点の前記間隔が、前記表現のうちの前記第２の表現の切替点の前記間隔より短い、
を行うように構成され、前記クライアントデバイスは、所定のビットレートと第１のバッファリング期間を有する前記第１の表現を選択し、前記第１の表現のデータをバッファリングし、前記所定のビットレートと、前記第１のバッファリング期間よりも長い第２のバッファリング期間を有する前記第２の表現へ前記第１の表現を切り替える、装置。
【請求項７】
前記複数の表現を形成するために、前記１つまたは複数のプロセッサが、
前記表現のうちの前記第１の表現の切替点の前記間隔で切替点を含むように、前記表現のうちの前記第１の表現を形成し、
前記第２の表現の前記切替点の各々が前記第１の表現の前記切替点の１つの時間的位置に対応する時間的位置で発生するように、前記表現のうちの前記第２の表現の切替点の前記間隔で切替点を含むように、前記表現のうちの前記第２の表現を形成するように構成される、請求項６に記載の装置。
【請求項８】
前記表現のうちの前記第２の表現の前記切替点が、前記表現のうちの前記第１の表現の前記切替点のサブセットを備える、請求項７に記載の装置。
【請求項９】
前記表現のうちの前記第１の表現の前記ビデオデータを送信するために、前記１つまたは複数のプロセッサが、ユニキャストを介して前記表現のうちの前記第１の表現の前記ビデオデータを送信するように構成され、
前記表現のうちの前記第２の表現の前記ビデオデータを送信するために、前記１つまたは複数のプロセッサが、ブロードキャストを介して前記表現のうちの前記第２の表現の前記ビデオデータを送信するように構成される、請求項６に記載の装置。
【請求項１０】
前記切替点間隔情報を割り当てるために、前記１つまたは複数のプロセッサが、前記マルチメディアコンテンツに対するマニフェストファイル中で前記切替点間隔情報を提供するように構成される、請求項６に記載の装置。
【請求項１１】
マルチメディアコンテンツのビデオデータをストリーミングするための装置であって、
前記マルチメディアコンテンツの複数の表現を受信するための手段と、ここにおいて、前記表現が、前記それぞれの表現の切替点の間隔を表す切替点間隔情報を含む、
クライアントデバイスからの要求に応答して、前記表現のうちの第１の表現のビデオデータを前記クライアントデバイスに送信するための手段と、
前記第１の表現とは異なる前記表現のうちの第２の表現中の切替点の間の再生時間に少なくとも等しい再生時間を有する前記第１の表現からのある量のビデオデータを送信した後で、前記表現のうちの前記第２の表現のビデオデータを前記クライアントデバイスに送信するための手段と、ここにおいて、前記表現のうちの前記第１の表現の切替点の前記間隔が、前記表現のうちの前記第２の表現の切替点の前記間隔より短い、
を備え、前記クライアントデバイスは、所定のビットレートと第１のバッファリング期間を有する前記第１の表現を選択し、前記第１の表現のデータをバッファリングし、前記所定のビットレートと、前記第１のバッファリング期間よりも長い第２のバッファリング期間を有する前記第２の表現へ前記第１の表現を切り替える、装置。
【請求項１２】
前記複数の表現を形成するための手段が、
前記表現のうちの前記第１の表現の切替点の前記間隔で切替点を含むように、前記表現のうちの前記第１の表現を形成するための手段と、
前記第２の表現の前記切替点の各々が前記第１の表現の前記切替点の１つの時間的位置に対応する時間的位置で発生するように、前記表現のうちの前記第２の表現の切替点の前記間隔で切替点を含むように、前記表現のうちの前記第２の表現を形成するための手段と
を備える、請求項１１に記載の装置。
【請求項１３】
前記表現のうちの前記第２の表現の前記切替点が、前記表現のうちの前記第１の表現の前記切替点のサブセットを備える、請求項１２に記載の装置。
【請求項１４】
前記表現のうちの前記第１の表現の前記ビデオデータを送信するための手段が、ユニキャストを介して前記表現のうちの前記第１の表現の前記ビデオデータを送信するための手段を備え、
前記表現のうちの前記第２の表現の前記ビデオデータを送信するための手段が、ブロードキャストを介して前記表現のうちの前記第２の表現の前記ビデオデータを送信するための手段を備える、請求項１１に記載の装置。
【請求項１５】
前記切替点間隔情報を割り当てるための手段が、前記マルチメディアコンテンツに対するマニフェストファイル中で前記切替点間隔情報を提供するための手段を備える、請求項１１に記載の装置。
【請求項１６】
命令を記憶する非一時的コンピュータ可読記憶媒体であって、前記命令が、実行されると、１つまたは複数のプロセッサに、
マルチメディアコンテンツの複数の表現を受信することと、ここにおいて、前記表現が、前記それぞれの表現の切替点の間隔を表す切替点間隔情報を含む、
クライアントデバイスからの要求に応答して、前記表現のうちの第１の表現のビデオデータを前記クライアントデバイスに送信することと、
前記第１の表現とは異なる前記表現のうちの第２の表現中の切替点の間の再生時間に少なくとも等しい再生時間を有する前記第１の表現からのある量のビデオデータを送信した後で、前記表現のうちの前記第２の表現のビデオデータを前記クライアントデバイスに送信することと、ここにおいて、前記表現のうちの前記第１の表現の切替点の前記間隔が、前記表現のうちの前記第２の表現の切替点の前記間隔より短い、
を行わせ、前記クライアントデバイスは、所定のビットレートと第１のバッファリング期間を有する前記第１の表現を選択し、前記第１の表現のデータをバッファリングし、前記所定のビットレートと、前記第１のバッファリング期間よりも長い第２のバッファリング期間を有する前記第２の表現へ前記第１の表現を切り替える、非一時的コンピュータ可読記憶媒体。
【請求項１７】
前記複数の表現を形成するために、前記命令が、前記１つまたは複数のプロセッサに、
前記表現のうちの前記第１の表現の切替点の前記間隔で切替点を含むように、前記表現のうちの前記第１の表現を形成させ、
前記第２の表現の前記切替点の各々が前記第１の表現の前記切替点の１つの時間的位置に対応する時間的位置で発生するように、前記表現のうちの前記第２の表現の切替点の前記間隔で切替点を含むように、前記表現のうちの前記第２の表現を形成させる、請求項１６に記載の非一時的コンピュータ可読記憶媒体。
【請求項１８】
前記表現のうちの前記第２の表現の前記切替点が、前記表現のうちの前記第１の表現の前記切替点のサブセットを備える、請求項１７に記載の非一時的コンピュータ可読記憶媒体。
【請求項１９】
前記表現のうちの前記第１の表現の前記ビデオデータを送信するために、前記命令が、前記１つまたは複数のプロセッサに、ユニキャストを介して前記表現のうちの前記第１の表現の前記ビデオデータを送信させ、
前記表現のうちの前記第２の表現の前記ビデオデータを送信するために、前記命令が、前記１つまたは複数のプロセッサに、ブロードキャストを介して前記表現のうちの前記第２の表現の前記ビデオデータを送信させる、請求項１６に記載の非一時的コンピュータ可読記憶媒体。
【請求項２０】
前記切替点間隔情報を割り当てるために、前記命令が、前記１つまたは複数のプロセッサに、前記マルチメディアコンテンツに対するマニフェストファイル中で前記切替点間隔情報を提供させる、請求項１６に記載の非一時的コンピュータ可読記憶媒体。